(57)【要約】 【課題】  経時変化による変色を抑制し得るリライト層を有するＩＣタグを提供すること。【解決手段】  紫外線吸収剤を含む透明なシートで構成される、袋４をＩＣタグ１に被せる。これによって、紫外線の作用によるリライト層の化学変化を抑制することができ、化学変化に起因するリライト層の変色を抑制することができる。【選択図】  図１
2005202213.tif 000002
【特許請求の範囲】
【請求項１】
リライト層を有し、紫外線吸収剤を含む透明シートを袋状に形成した、外被に覆われてなることを特徴とするＩＣタグ。
【発明の詳細な説明】
【技術分野】
【０００１】
本発明は、ＩＣタグに関するもので、特に、文字、図形、バーコードの書き込みや消去が可能なリライト層を有するＩＣタグに関するものである。
【背景技術】
【０００２】
ＩＣチップとアンテナを内蔵し、カードリーダ、カードライターを介して情報の授受が可能なＩＣカードが実用化され、様々な分野で利用されている。この中でも、商品に取り付けて、商品管理に用いられる、いわゆるＩＣタグには、表面に視認可能な文字、図形やバーコードを印刷し得る表示層を設けることで、利便性を向上することが行われている。
【０００３】
図３は、このような従来のＩＣタグの例を示す斜視図である。図３において、１０はＩＣタグ、１１は取り付けピンを挿通するための貫通孔、１２は取り付けピンである。図に示したＩＣタグ１０は、表示層側を表にして取り付けピン１２により、商品に取り付けられる。
【０００４】
この表示層は、再利用を考慮して、視認可能情報の書き込みや消去を繰り返すことが可能な、いわゆるリライト層として用いることが多い。そして、ＩＣタグにこのような機能を付与するために、サーモクロミック材料を用いた可逆性感熱記録層がリライト層として採用されている。
【０００５】
このようなＩＣタグにおける問題の一つとして、長期間使用により、変色などの経時変化が生じることである。これは、リライト層の基材に高分子材料が用いられること、高分子材料の多くが、太陽光線や蛍光灯に含まれる紫外線により、化学変化を起こすことによる。また、感熱記録層自体も紫外線による化学変化を起こすことがある。そして、この現象が甚だしい場合は、変色のために、視認可能情報が識別不可となることがある。
【０００６】
特許文献１、特許文献２には、サーマルヘッドを用いて、視認可能情報を、表面に書き込み及び消去を繰り返すことが可能な、可逆感熱記録層を設けたＩＣカードが開示されている。しかしながら、特許文献１、特許文献２には、前記の変色を防止する技術については、何ら開示されていない。
【０００７】
【特許文献１】特開２０００−２５１０４２号公報
【特許文献２】特開２００２−２８８６２０号公報
【発明の開示】
【発明が解決しようとする課題】
【０００８】
従って、本発明の課題は、経時変化による変色を抑制し得るリライト層を有するＩＣタグを提供することにある。
【課題を解決するための手段】
【０００９】
本発明は、リライト層の変色の大きな要因が、紫外線による化学変化にあることと、紫外線のエネルギーを、熱エネルギーに変換して放出する機能を有する化合物、即ち紫外線吸収剤を用いることを検討した結果なされたものである。
【００１０】
即ち、本発明は、リライト層を有し、紫外線吸収剤を含む透明シートを袋状に形成した、外被に覆われてなることを特徴とするＩＣタグである。
【発明の効果】
【００１１】
本発明のＩＣタグは、紫外線吸収剤を含む袋状の透明シートで覆われていることから、長期間紫外線の照射を受けても、化学変化が抑制され、変色が極めて少ない。また、紫外線による、高分子材料の化学変化は、殆どの場合、機械的な強度低下に繋がるので、紫外線吸収剤を用いることは、機械的な特性低下を抑制することにも効果を奏するものである。
【発明を実施するための最良の形態】
【００１２】
本発明に用いられる、紫外線吸収剤としては、無機化合物であれば、酸化セリウム系化合物などが、有機化合物であれば、ベンゾトリアゾール系の化合物が挙げられるが、これらに限定されるものではない。透明シートに用いられる高分子材料との相溶性などを考慮すると有機化合物を用いることが望ましい。
【００１３】
透明シートに用いられる材質としては、ある程度の透明性を有し、紫外線吸収剤を分散させることができるものであれば特に限定されないが、比較的軟質のものが望ましく、具体的にはポリエチレン、ポリウレタンなどが挙げられる。
【００１４】
また、リライト層の発色には、サーモクロミック材料の他に、エレクトロクロミック材料、フォトクロミック材料などの、外部から電圧や特定波長の光線を加えることで、可逆的に発色、消色を繰り返すことが可能な材料を用いることができる。サーモクロミック材料を用いる場合であれば、無機化合物としては、Ｃｕ2ＨｇＩ4、Ａｇ2ＨｇＩ4の化学式で表される化合物が、有機化合物としては、スピロピラン類、コステリック液晶、ロイコ色素などを用いることができ、用途や使用条件により、適宜選択する。
【００１５】
なお、ＩＣチップ、アンテナ、タグの基材などは、公知の材料や構成をそのまま用いることができる。
【実施例１】
【００１６】
次に、具体的な実施例について、図を参照して説明する。
【００１７】
図１は、本発明の第１の実施例を示す斜視図である。図１において、１はＩＣタグ、２は取り付けピン挿通用の貫通孔、３は取り付けピン、４は紫外線吸収剤を分散させた透明シートの袋である。
【００１８】
本実施例に用いる袋４は、ポリエチレンにベンゾトリアゾール系の紫外線吸収剤を分散したシートからなり、図における下側が開放状態となっている。また、ＩＣタグ１に被せた状態で貫通孔２が当接する部分に孔が設けられ、取り付けピン３を挿通することができる。
【実施例２】
【００１９】
図２は、本発明の第２の実施例を示す斜視図である。図２において、５はＩＣタグ、６は紫外線吸収剤を分散させた透明シートの袋、７は取り付けピンを挿通するための穴、８はファスナー、９は取り付けピンである。本実施例においては、透明シートの材質は第１の実施例と同様であるが、ファスナー８が設けられ、袋６を閉じることができる。
【００２０】
袋６をこのような構造とすることで、ＩＣタグ５を袋６に封じ込めることができるので、搬送する際に、袋６からＩＣタグ５が抜け落ちることがなくなるとともに、ＩＣタグ５を商品に取り付ける作業の、効率向上に資することができる。
【００２１】
以上に説明したように、本発明によれば、比較的簡略な方法で、ＩＣタグへの紫外線の影響を抑制することが可能となり、ＩＣタグの使用回数または使用期間を大幅に増加することが可能となる。ひいては、省資源による環境への負荷低減に寄与することができ、結果的にＩＣタグの製造コスト低減にも繋がるものである
【産業上の利用可能性】
【００２２】
さらに、ここでは、ＩＣタグに適用した例を示したが、紫外線の作用で変色などの支障を生じる表示素子の類にも、本発明を適用できる。
【図面の簡単な説明】
【００２３】
【図１】本発明の第１の実施例を示す斜視図。
【図２】本発明の第２の実施例を示す斜視図。
【図３】従来のＩＣタグの例を示す斜視図
【符号の説明】
【００２４】
１，５，１０    ＩＣタグ
２，１１    貫通孔
３，９，１２    取り付けピン
４，６    袋
７    穴
８    ファスナー
【図１】
2005202213.tif 000003
【図２】
2005202213.tif 000004
【図３】
2005202213.tif 000005